(57)【要約】【課題】フロントボードの引っ掛かりを抑制するとともに、フロントボードと下ハウジングとの間に隙間が生じるのを抑制できる電子機器を提供する。【解決手段】電子機器１のハウジングは、下ハウジングに上方から被さるように配置され、下ハウジングと組み合わせられる上ハウジングを有する。上ハウジングは、その前部に、下ハウジングと上下方向に向き合うように配置される板状のフロントボード１０を有する。フロントボード１０は、その前縁７ｂが下ハウジングの上縁２７ａに沿うとともに上縁２７ａより内側に位置するように配置される。電子機器１には、フロントボード１０を下ハウジングの上縁２７ａに向かって押す押圧部２６ｃが設けられる。【選択図】図１６
2010245199.tif 000002
【特許請求の範囲】
【請求項１】
上方に開いた下ハウジングと、前記下ハウジングに上方から被さるように配置され、前記下ハウジングと組み合わせられる上ハウジングとを有するハウジングを備え、
前記上ハウジングは、その前部に、前記下ハウジングと上下方向に向き合うように配置される板状のフロントボードを有し、
前記フロントボードは、その縁が前記下ハウジングの上縁より内側に位置するとともに当該上縁に沿うように配置され、
前記フロントボードを前記下ハウジングの前記上縁に向かって押す押圧部が設けられている、
ことを特徴とする電子機器。
【請求項２】
請求項１に記載の電子機器において、
前記上ハウジングは、前記下ハウジングに上方から被さるように配置され、前記下ハウジングを上方から閉じるハウジング本体をさらに有し、
前記フロントボードと前記ハウジング本体は別体に構成されている、
ことを特徴とする電子機器。
【請求項３】
請求項１に記載の電子機器において、
前記押圧部は前記下ハウジングに設けられている、
ことを特徴とする電子機器。
【請求項４】
請求項１に記載の電子機器において、
前記フロントボードは、前記下ハウジングの上縁の隅の内側に配置され、
前記押圧部が前記フロントボードを押す方向は前記隅側に傾斜している、
ことを特徴とする電子機器
【請求項５】
請求項１に記載の電子機器において、
前記フロントボードは、当該フロントボードの前縁が前記下ハウジングの上縁に沿うように配置され、当該フロントボードの後縁には壁が設けられ、
前記ハウジング本体は、その前部に、前記フロントボードに設けられた前記壁上に配置される前壁部を有し、
前記ハウジング本体の前記前壁部は、その下縁が前記フロントボードの前記壁より前に張り出すように配置されている、
ことを特徴とする電子機器。
【発明の詳細な説明】
【技術分野】
【０００１】
本発明は、上方に開いた下ハウジングと、下ハウジングに被さるように配置される上ハウジングとによって構成されたハウジングを有する電子機器に関する。
【背景技術】
【０００２】
ゲーム装置や、オーディオ・ビジュアル機器、パーソナルコンピュータなどの電子機器には、上方に開いた下ハウジングと、下ハウジングに被さるように配置され、下ハウジングに組み合わせられる上ハウジングとによって構成されたハウジングを有するものがある（例えば、特許文献１）。特許文献１の電子機器では、上ハウジングの前部に、水平に形成され、下ハウジングと上下に向き合う部分（以下、フロントボード）が設けられている。上ハウジングと下ハウジングは、フロントボードの前縁が下ハウジングの上縁に載せられた状態で固定されている。
【先行技術文献】
【特許文献】
【０００３】
【特許文献１】特開２００８−１０３６７１号公報
【発明の概要】
【発明が解決しようとする課題】
【０００４】
各部材には公差があるため、特許文献１のように、下ハウジングの上縁にフロントボードの前縁が載せられる構造では、フロントボードの前縁の位置と下ハウジングの上縁の位置とを正確に合わせるのは困難である。そして、縁の位置がずれている場合には、例えば、ユーザが電子機器を持ち上げようとする際に、ユーザの手がフロントボードの前縁に引っ掛かり、上ハウジングと下ハウジングの取付位置に負荷がかかる。
【０００５】
この点、フロントボードの前縁が下ハウジングの上縁より内側に位置するようにフロントボードを配置する構造が考えられる。しかしながら、フロントボードを下ハウジングの内側に配置し、上ハウジングと下ハウジングとを固定するだけでは、フロントボードの前縁と、下ハウジングとの間に隙間が生じ、電子機器の外観を損なう可能性がある。
【０００６】
本発明は、上記課題に鑑みてなされたものであって、その目的は、フロントボードの引っ掛かりを抑制するとともに、フロントボードと下ハウジングとの間に隙間が生じるのを抑制できる電子機器を提供することにある。
【課題を解決するための手段】
【０００７】
上記課題を解決するために、本発明に係る電子機器は、上方に開いた下ハウジングと、前記下ハウジングに上方から被さるように配置され、前記下ハウジングと組み合わせられる上ハウジングとを有するハウジングを備える。前記上ハウジングは、その前部に、前記下ハウジングと上下方向に向き合うように配置される板状のフロントボードを有する。前記フロントボードは、その縁が前記下ハウジングの上縁より内側に位置するとともに当該上縁に沿うように配置される。そして、前記電子機器には、前記フロントボードを前記下ハウジングの前記上縁に向かって押す押圧部が設けられている。
【０００８】
本発明によれば、フロントボードの引っ掛かりを抑制するとともに、上ハウジングのフロントボードと下ハウジングとの間に隙間が生じるのを抑制できる。
【０００９】
また、本発明の一態様では、前記上ハウジングは、前記下ハウジングに上方から被さるように配置され、前記下ハウジングを上方から閉じるハウジング本体をさらに有する。そして、前記フロントボードと前記ハウジング本体は別体に構成されている。この態様によれば、押圧部によってフロントボードを下ハウジングの縁に向かって押し、ハウジング本体については、その縁が下ハウジングの上縁に重なるように、当該下ハウジングに取り付けることができる。
【００１０】
また、本発明の一態様では、前記押圧部は前記下ハウジングに設けられてもよい。こうすることによって、下ハウジングの上縁と押圧部との相対的な位置がずれることを抑えることができる。その結果、下ハウジングの上縁とフロントボードの縁との間に隙間が生じることを、より確実に抑えることができる。
【００１１】
また、本発明の一態様では、前記フロントボードは、前記下ハウジングの上縁の隅の内側に配置され、前記押圧部が前記フロントボードを押す方向は前記隅側に傾斜してもよい。こうすることによって、下ハウジングの上縁の隅と、フロントボードの縁との間に隙間が生じることを抑えることができる。
【００１２】
また、本発明の一態様では、前記フロントボードは、当該フロントボードの前縁が前記下ハウジングの上縁に沿うように配置され、当該フロントボードの後縁には壁が設けられてもよい。そして、前記ハウジング本体は、その前部に、前記フロントボードに設けられた前記壁上に配置される前壁部を有し、前記ハウジング本体の前記前壁部は、その下縁が前記フロントボードの前記壁より前に張り出すように配置されてもよい。こうすることによって、ハウジング本体の前壁部の下縁とフロントボードとの間の隙間が目立ち難くなる。
【図面の簡単な説明】
【００１３】
【図１】本発明の実施形態に係る電子機器の斜視図である。
【図２】上記電子機器の正面図である。
【図３】上記電子機器の底面図である。
【図４】上記電子機器の背面図である。
【図５】上記電子機器が有する上ハウジングとフロントボードの分解斜視図である。
【図６】上記フロントボードの分解斜視図である。
【図７】図６の拡大図である。
【図８】図５のＶＩＩＩ−ＶＩＩＩ線での断面図である。
【図９】上記フロントボードを斜め下方から臨む斜視図である。
【図１０】上記フロントボードに設けられた押しボタン及びベースボードの底面図である。
【図１１】上記電子機器が有する下ハウジングの斜視図である。
【図１２】図１１の拡大図であり、上記下ハウジングの前部が示されている。
【図１３】上記下ハウジングの前部の平面図である。
【図１４】上記下ハウジング、ハウジング本体、及びフロントボードを斜め下方から臨む分解斜視図である。
【図１５】図１３に示すＸＶ−ＸＶ線での断面図である。
【図１６】上記フロントボードが取り付けられた状態の下ハウジングの断面図であり、同図の切断面は図１５と同様である。
【図１７】上記フロントボードを斜め後方から臨む斜視図である。
【発明を実施するための形態】
【００１４】
以下、本発明の一実施形態について図面を参照しながら説明する。図１は本発明の実施形態の例である電子機器１の斜視図であり、図２は電子機器１の正面図であり、図３は電子機器１の底面図であり、図４は電子機器１の背面図である。図５は電子機器１が有する上ハウジング２１が有するハウジング本体２２とフロントボード１０の分解斜視図である。図６はフロントボード１０の分解斜視図である。図７は図６の拡大図である。図８は、図５のＶＩＩＩ−ＶＩＩＩ線での断面図である。図９はフロントボード１０を斜め下方から臨む斜視図である。図１０は、押しボタン３及びベースボード４の底面図である。
【００１５】
図１、図２、又は図５に示すように、電子機器１は、その外面を構成するハウジング２を有している。電子機器１は、例えば、ゲーム装置や、オーディオ・ビジュアル機器であり、ハウジング２の内には、可搬型の記憶媒体の読み取り装置や、回路基板などが配置されている。ハウジング２は、上方に開いた略箱状の下ハウジング２０と、下方に開いた略箱状の上ハウジング２１とを有している。上ハウジング２１は、下ハウジング２０に上方から被さるように配置され、下ハウジング２０に組み付けられている。
【００１６】
上ハウジング２１は、その前部に、下ハウジング２０と上下方向に向き合うように配置されるフロントボード１０を有している。また、上ハウジング２１は、下ハウジング２０に被さるように配置されるハウジング本体２２を有している。ハウジング本体２２は、その下縁が下ハウジング２０の上縁に重なるように配置されている。そして、下ハウジング２０を上方から閉じている。そして、上方に開いた形状を有する下ハウジング２０は、ハウジング本体２２とフロントボード１０とによって上方から閉じられている。ハウジング本体２２は例えば樹脂によって一体的に形成されている。フロントボード１０は、ハウジング本体２２とは別体に構成されており（図５参照）、後述するように、螺子等の固定具によってハウジング本体２２と下ハウジング２０とに取り付けられている。
【００１７】
ハウジング本体２２は、下ハウジング２０と上下方向に向き合うように設けられた上板部２２ａを有している。上板部２２ａは、その前後方向の中央が膨らむように湾曲している。また、ハウジング本体２２は、その前部に、上板部２２ａの前縁から、下ハウジング２０に向かって下がる左前壁部２２ｂと右前壁部２２ｃとを有している。右前壁部２２ｃは、左前壁部２２ｂの端部から後方（Ｙ１方向）に伸びるとともに緩やかに湾曲し、左前壁部２２ｂより後方に位置している。右前壁部２２ｃには、光ディスクなど可搬型の記憶媒体を挿入するためのメディア挿入口２２ｄが形成されている。
【００１８】
フロントボード１０には、左右方向（Ｘ１−Ｘ２方向）に並ぶ複数（この例では２つ）の押しボタン３が設けられている。押しボタン３は、例えば、電子機器１の電源をオン／オフするための電源ボタンや、光ディスクをメディア挿入口２２ｄから取り出すための取出ボタンである。フロントボード１０は、左右方向に長い板状を呈している。フロントボード１０は、右前壁部２２ｃの手前に配置されている。すなわち、フロントボード１０は、右前壁部２２ｃの下縁から前方（Ｙ２方向）に伸びるように配置され、下ハウジング２０の底面と平行となっている。
【００１９】
図６に示すように、フロントボード１０は、外面パネル７と、外面パネル７とは別体に構成されたベースボード（中間部材）４とを有している。また、フロントボード１０の裏面側には回路基板６が配置されている。後述するように、この回路基板６はフロントボード１０に取り付けられている。
【００２０】
外面パネル７は、例えば、樹脂によって形成された薄い板状の部材である。外面パネル７は、フロントボード１０の最も上に位置し、電子機器１の外面を構成している。外面パネル７は、左右方向に長い略矩形である。この例では、特に、外面パネル７は４つの角のうち１つが湾曲した形状であり、左右方向の一方側（この例では、左側の縁）の縁７ｄは、その前端から緩やかに湾曲しながら、外面パネル７の後縁７ｅまで伸びている。
【００２１】
外面パネル７には押しボタン３に対応した形状の２つの孔７ａが形成されている。この例では、押しボタン３は、平たい略円盤状であり、孔７ａは円形である。孔７ａの大きさ（ここでは孔７ａの径）は押しボタン３の上部の大きさより僅かに大きくなっており、押しボタン３は孔７ａの内側に配置されている。なお、押しボタン３は、二種類の材料によって成形された部材、すなわち二色成形によって成形された部材であり、ベース部３ｂと、ベース部３ｂを覆い、電子機器１の外面において露呈したカバー部３ｃとによって構成されている（図８参照）。
【００２２】
図８に示すように、押しボタン３は、外面パネル７の孔７ａに下方から嵌められている。押しボタン３が押されていない状態では、押しボタン３の表面と外面パネル７の表面は、概ね同一平面上に位置している。押しボタン３は、孔７ａの内側において、外面パネル７の厚さ方向に移動可能となっている。すなわち、押しボタン３と孔７ａの内縁との間には、押しボタン３の上下方向の動きを許容する僅かなクリアランスが設けられている。押しボタン３の縁は、半径方向に張り出す環状のフランジ部３ａとなっている（図７参照）。フランジ部３ａは、外面パネル７の孔７ａの縁の下方に位置しており、押しボタン３が外面パネル７から上方への抜けることが防止されている。
【００２３】
図６乃至図８に示すように、ベースボード４は外面パネル７の裏面側に配置されている。上述したようにフロントボード１０の裏面側には回路基板６が配置されており、ベースボード４は外面パネル７と回路基板６との間に位置している。ベースボード４は左右方向に長い板状の部材である。この例では、ベースボード４は、外面パネル７と同様に、４つの角のうち１つが緩やかに湾曲した略矩形の部材である。また、ベースボード４は、外面パネル７より厚い材料によって構成されている。なお、ベースボード４は、外面パネル７と同様に、例えば樹脂によって成形される。外面パネル７はベースボード４の表面に取り付けられている。例えば、外面パネル７はベースボード４の表面に接着剤や両面テープによって取り付けられている。
【００２４】
ベースボード４には複数（この例では２つ）の孔４ａが形成されている。この孔４ａは押しボタン３の位置に対応しており、孔４ａの内側に押しボタン３が位置している（図８参照）。後述するように、この孔４ａの内縁に、押しボタン３の動きを制限するストッパ４１が形成されている。
【００２５】
回路基板６は、外面パネル７の裏面側に位置し、外面パネル７に沿うように、すなわち外面パネル７と平行に配置されている。この例では、上述したように、外面パネル７と回路基板６との間にはベースボード４が配置されており、回路基板６はベースボード４の裏面側に配置されている。回路基板６の表面には、押しボタン３によって押されてオン／オフする接点部材６１が実装されている。この接点部材６１は、例えば、タクトスイッチによって構成される。図８又は図９に示すように、回路基板６の裏面には、コネクタ６９が実装されており、接点部材６１は、コネクタ６９に接続される配線を介して、電子機器１が内蔵する別の回路基板に電気的に接続されている。
【００２６】
回路基板６はベースボード４に取り付けられている。この例では、回路基板６は、複数（この例では３つ）の螺子１７によってベースボード４に取り付けられている。すなわち、図６に示すように、回路基板６には、左右方向に並ぶ複数（ここでは３つ）の孔６ａが形成されている。一方、ベースボード４の裏面には、下方に突出する複数の取付部４２が形成されている（図１０参照）。この取付部４２には螺子孔４２ａが形成されており、孔６ａに下方から差し込まれた螺子１７は、螺子孔４２ａに留められ、回路基板６はベースボード４に取り付けられている。これによって、電子機器１の製造工程において、回路基板６とフロントボード１０とを一体化して取り扱うことができる。
【００２７】
また、螺子１７が締め付けられた状態では、回路基板６の表面は取付部４２に当っている。そのため、ベースボード４と回路基板６との距離は、取付部４２によって規定されている。また、上述したように、外面パネル７はベースボード４の表面に取り付けられている。その結果、外面パネル７とベースボード４と回路基板６は、外面パネル７の厚さ方向への相対的な動きが規制されている。
【００２８】
また、ベースボード４の裏面には、下方に突出する複数（この例では２つ）の突起４３ａ，４３ｂが形成されている（図９参照）。回路基板６のベースボード４に対する位置は、この突起４３ａ，４３ｂによって規定されている。すなわち、回路基板６には、突起４３ａ，４３ｂの外径に一致した内径の孔６ｂと、孔６ｂより左右方向に長い孔６ｃとが形成されている（図６参照）。突起４３ａ，４３ｂが、それぞれ孔６ｂと孔６ｃとに嵌ることによって、回路基板６はベースボード４に対して適切な位置に配置される。なお、孔６ｃが左右方向に長いことによって、各部材の公差に起因して孔６ｂ，６ｃ或いは突起４３ａ，４３ｂの位置が左右方向にずれている場合であっても、確実に突起４３ｂを孔６ｃに嵌めることができる。また、螺子１７が通される孔６ａは、螺子１７の径より僅かに大きくなっており、各部材の公差に起因して孔６ａの位置が正規の位置からずれている場合であっても、螺子１７をベースボード４の取付部４２に取り付けることができる。
【００２９】
なお、図９又は図１０に示すように、ベースボード４の裏面には、下方に突出する突出部４２ｂ，４３ｃが形成されている。突出部４２ｂは取付部４２から左右方向に伸び、突出部４３ｃは突起４３ａ，４３ｂから前後方向に伸びている。これらの突出部４２ｂ，４３ｃの先端は取付部４２の先端と同じ高さに位置している。そのため、これら突出部４２ｂ，４３ｃの先端が回路基板６に当ることによって、回路基板６のベースボード４に対するぐらつきが抑制されている。
【００３０】
なお、図７又は図９に示すように、ベースボード４は、その外周縁に枠部４５を有している。枠部４５はベースボード４の外周縁から回路基板６側に下がり、回路基板６の縁を囲んでいる。すなわち、回路基板６は、枠部４５の内側に配置されている。
【００３１】
押しボタン３と回路基板６との間には、押しボタン３を外面パネル７側に押すゴム（弾性体）５が配置されている。図７又は図８に示すように、ゴム５は円盤状の支持部５１を有している。支持部５１は、押しボタン３の裏面側に位置し、押しボタン３を下方から支えている。上述した接点部材６１は、支持部５１の裏面側に位置している。支持部５１の裏面には突起５１ｂが形成されており、押しボタン３が下方に押されたときには、この突起５１ｂが接点部材６１を押す。
【００３２】
また、ゴム５は、ベースボード４と回路基板６とによって挟まれている。詳細には、ゴム５は、支持部５１の外周縁から、半径方向に広がるとともに、回路基板６側に下がる略環状の基部５２を有している。この基部５２は、ベースボード４の裏面に位置しており、ベースボード４と回路基板６とによって挟まれている。
【００３３】
なお、ゴム５は、押しボタン３が押し下げられていない状態においても、押しボタン３を外面パネル７側に押している。すなわち、フロントボード１０が組み付けられた状態では、支持部５１の位置は、ゴム５に対して外力の作用していない状態での位置に比べて僅かに低くなっている。そのため、押しボタン３が押し下げられていない状態においても、ゴム５は、その弾性によって押しボタン３を外面パネル７側に押している。
【００３４】
ベースボード４とゴム５とには、互いに対応する凹凸が形成されており、その凹凸によって、ベースボード４に対するゴム５の位置が規定されている。この例では、図７に示すように、ゴム５の基部５２の上面には、孔５２ａが形成されている。一方、ベースボード４の裏面には、図１０に示すように、下方に突出する複数（この例では２つ）の突起４４が形成されている。この突起４４が孔５２ａに嵌ることによって、ベースボード４に対するゴム５の位置が規定されている。
【００３５】
ゴム５と押しボタン３は、それらの相対位置の変化（水平方向での位置の変化）が可能となるように設けられている。すなわち、押しボタン３の裏面はゴム５の表面に対して取り付けられておらず、押しボタン３は、ゴム５に対して水平方向にずれることができる。そのため、ゴム５の位置が、その製造誤差等に起因してずれている場合であっても、押しボタン３は外面パネル７の孔７ａの内側に確実に配置され得るため、孔７ａの内縁と押しボタン３との間に設けるべきクリアランスが小さくなっている。換言すると、外面パネル７の孔７ａが押しボタン３の位置を規定している。そのため、孔７ａの大きさ（例えば、孔７ａの径）は、押しボタン３の公差と、孔７ａの公差とを補償するように設定されているものの、孔７ａの大きさについて、押しボタン３と孔７ａの公差以外の公差（例えば、ベースボード４に対する外面パネル７の取付位置の誤差やゴム５の公差等）は考慮されていない。一方、ベースボード４に形成された孔４ａの大きさ（例えば、孔４ａの径）は、当該孔４ａの公差や、押しボタン３の公差のみならず、ベースボード４に対する外面パネル７の取付位置を補償するように設定されている。そのため、孔４ａは外面パネル７の孔７ａより大きくなっている。
【００３６】
上述したように、押しボタン３と回路基板６との間には、外面パネル７の厚さ方向での位置変化が規制されたストッパ４１が設けられている。押しボタン３が押されて厚さ方向に移動したときに、ストッパ４１は押しボタン３の縁に当り、押しボタン３が必要以上に沈むことを規制している。
【００３７】
この例では、図７又は図８に示すように、ストッパ４１はベースボード４の孔４ａの内縁に形成されている。ストッパ４１は、孔４ａの内縁から中心に向かって張り出している。また、ストッパ４１は、孔４ａの周方向に伸びるよう形成されており、ベースボード４の平面視では、略環状を呈している。ストッパ４１は外面パネル７から下方に離れた位置に設けられ、ストッパ４１と外面パネル７との間にはスペースが設けられている。このスペースに、押しボタン３のフランジ部３ａが配置されている。すなわち、ストッパ４１は、フランジ部３ａの下方に位置している。そのため、フランジ部３ａはストッパ４１と外面パネル７との間でのみ移動が許容されている。
【００３８】
特に、この例では、ストッパ４１によって許容される押しボタン３の移動距離は、外面パネル７の裏面から押しボタン３の表面までの距離Ｌ２より小さくなっている。すなわち、フランジ部３ａの下面からストッパ４１の上面までの距離Ｌ１は、外面パネル７の裏面（フランジ部３ａの上面）から押しボタン３の表面までの距離Ｌ２より小さくなっている。そのため、押しボタン３が押し下げられて、フランジ部３ａがストッパ４１に当った場合であっても、押しボタン３の表面は外面パネル７の下面より高い位置にある。その結果、押しボタン３が外面パネル７の厚さを越えて沈むことが抑制されている。
【００３９】
ベースボード４と押しボタン３とには、互いに対応する凹凸が形成されており、押しボタン３の回転はベースボード４によって規制されている。この例では、図７又は図１０に示すように、ストッパ４１に凹部４１ｂが形成され、フランジ部３ａの下面には凸部３ｄが形成されている。この凸部３ｄは、凹部４１ｂに嵌っており、押しボタン３の回転が規制されている。
【００４０】
上述したように、フロントボード１０には、２つの押しボタン３が設けられている。ベースボード４と押しボタン３とには、一方の押しボタン３が、反対の孔４ａに誤って装着されることを防止するための凹凸が形成されている。すなわち、図１０に示すように、フランジ部３ａの下面には２つの凸部３ｅが形成されている。右側の押しボタン３の凸部３ｅと、左側の押しボタン３の凸部３ｅは、周方向における異なる位置に形成されている。一方、ベースボード４の孔４ａに設けられたストッパ４１にも２つの凹部４１ｃが形成されている。右側の孔４ａの凹部４１ｃの位置は右側の押しボタン３の凸部３ｅの位置に対応し、左側の孔４ａの凹部４１ｃの位置は左の押しボタンの凸部３ｅの位置に対応している。そのため、右側の押しボタン３を誤って左側の孔４ａに嵌めようとする場合であっても、凸部３ｅの位置と凹部４１ｃの位置とが合致せず、そのように誤った状態で押しボタン３が取りけられることが防止されている。
【００４１】
なお、図６又は図７に示すように、回路基板６には、電子機器１の動作状態に応じて転倒する複数のＬＥＤ（Light Emitting Diode）６８ａ，６８ｂ，６８ｃが実装されている。
【００４２】
図７に示すように、ＬＥＤ６８ｂは、接点部材６１に隣接して設けられ、押しボタン３及びゴム５の支持部５１の下方に位置している。支持部５１には、当該支持部５１を貫通する２つの孔５１ａが形成されている。押しボタン３には、当該押しボタン３が電源ボタンや、記憶媒体の取出ボタンであることを示すマーク（不図示）が形成されている。このマークは光を通す透光材料によって形成されており、ＬＥＤ６８ｂの光は、孔５１ａを通って押しボタン３の透光材料に入射する。これによって、押しボタン３に形成されたマークが点灯する。なお、ＬＥＤ６８ｂは、環状に形成された基部５２によって取り囲まれるとともに、ＬＥＤ６８ｂの上方に位置する支持部５１の上面は、押しボタン３の下面に密着している。これによって、ＬＥＤ６８ｂの光が、押しボタン３のマークとは異なる位置から漏れることが抑制されている。
【００４３】
図７又は図８に示すように、ＬＥＤ６８ｃは、接点部材６１の後方の位置に実装されている。ベースボード４には孔４ｃが形成され、この孔４ｃに光を通す透光部材１９が嵌められている。透光部材１９はＬＥＤ６８ｃの上方に位置しており、ＬＥＤ６８ｃの光は透光部材１９に入射し、透光部材１９を点灯させる。外面パネル７はハーフミラーによって構成されており、透光部材１９と外面パネル７とを透過した光が電子機器１の外部に放出される。なお、ゴム５は、基部５２から後方に伸びる遮蔽部５３を有している。遮蔽部５３には孔５３ａが形成されており、その孔５３ａの内側にＬＥＤ６８ｃが配置されている。これによって、ＬＥＤ６８ｃの光が、透光部材１９とは異なる部分から漏れることが抑制されている。
【００４４】
図６に示すように、ＬＥＤ６８ａは回路基板６の端部に位置している。ベースボード４におけるＬＥＤ６８ａの上方の位置には、孔４ｂが形成されている。フロントボード１０は、外面パネル７の縁に沿って伸びる細長い導光部材８を有している。導光部材８はベースボード４の縁の上に配置され、導光部材８の端部は孔４ｂの上に位置している。そのため、ＬＥＤ６８ａの光は孔４ｂを通って導光部材８の端部に入射する。導光部材８に入射した光は、導光部材８内で反射しながら、当該導光部材８の延伸方向に進む。そして、延伸方向に進む過程で導光部材８の表面を透過した光によって、外面パネル７及び押しボタン３が照らされる。
【００４５】
フロントボード１０の取付構造について説明する。図１１は下ハウジング２０の斜視図である。図１２は図１１の拡大図であり、下ハウジング２０の前部が示されている。図１３は下ハウジング２０の前部の平面図であり、図１４は下ハウジング２０、ハウジング本体２２、及びフロントボード１０を斜め下方から臨む分解斜視図である。図１５は、図１３に示すＸＶ−ＸＶ線での断面図である。図１６はフロントボード１０が取り付けられた状態の下ハウジング２０の断面図であり、同図の切断面は図１５と同様である。図１７は、フロントボード１０を斜め後方から臨む斜視図である。
【００４６】
図１１に示すように、下ハウジング２０は、電子機器１の底を構成する四角い板状の底部２３を有している。図１４又は図１５に示すように、下ハウジング２０は、その前部に、底部２３の前縁から立ち上がる前壁部２５を有している。この例の下ハウジング２０の前部は、前壁部２５よりさらに前に張り出しており、下ハウジング２０は、前壁部２５の上縁から、さらに前に伸びる前底部２６を有している。また、下ハウジング２０は、前底部２６の前縁から上方に立ち上がる最前壁部２７を有している。この最前壁部２７が、ハウジング２において最も前に位置している。
【００４７】
また、下ハウジング２０は、電子機器１の側面を構成する横壁部２４を有している。この例では、図２乃至図４に示すように、下ハウジング２０は、その底部２３の左右の縁から立ち上がる内横壁部２０ｂを有している。下ハウジング２０は、内横壁部２０ｂを越えて左右に張り出しており、内横壁部２０ｂの上縁からさらに側方に広がる横底部２０ｃを有している。内横壁部２４は、この横底部２０ｃの縁から上方に立ち上がっている。横底部２０ｃと前底部２６とには、内横壁部２０ｂと前壁部２５とに沿って吸気口２０ｄが形成されている。また、図４に示すように、下ハウジング２０は、底部２３の後縁から立ち上がる後壁部２０ｅを有している。後壁部２０ｅでは各種コネクタ２０ｆが露出している。また、後壁部２０ｅには排気口２０ｇが設けられている。なお、この後壁部２０ｅは、電子機器１の最も後の面を構成している。
【００４８】
図１６に示すように、フロントボード１０はハウジング２の前部において、前底部２６と上下方向に向き合うように配置されている。上述したように、ハウジング本体２２の右前壁部２２ｃは左前壁部２２ｂより後方に位置し、右前壁部２２ｃと下ハウジング２０の上縁との間には開口が設けられている。フロントボード１０は、この開口を閉じている。特に、本実施形態では、フロントボード１０の前縁が下ハウジング２０の上縁の内側に位置するとともに当該上縁に沿うように、フロントボード１０は配置されている。この例では、外面パネル７の前縁７ｂは、ベースボード４の前縁４ｅより前に位置している。そのため、外面パネル７の前縁７ｂが、下ハウジング２０の最前壁部２７の上縁２７ａに内側から当っている。すなわち、前縁７ｂは最前壁部２７の内面に当っている。そして、前縁７ｂは上縁２７ａに沿って左右方向に伸びている。
【００４９】
また、この例では、フロントボード１０は、下ハウジング２０の上縁の隅２０ａの内側に配置されており（図１２参照）、フロントボード１０の上縁は、下ハウジング２０の最前壁部２７の上縁２７ａと、横壁部２４の上縁２４ａの双方に沿っている（図１２参照）。詳細には、外面パネル７の左右方向における一方側（ここでは右側）の縁（以下、右縁）７ｃは、ベースボード４の右側の縁（以下、右縁）４ｆより右方向に位置している（図６又は図７参照）。そのため、外面パネル７の右縁７ｃが、下ハウジング２０の横壁部２４の上縁２４ａに内側から当っている。そして、右縁７ｃは上縁２４ａに沿って前後方向に伸びている。
【００５０】
フロントボード１０は、外面パネル７の表面と下ハウジング２０の上縁２７ａ，２４ａとが概ね同じ高さになるように支持されている。この例では、図１２又は図１５に示すように、下ハウジング２０の前底部２６の前縁には上方に突出する複数の支持部２６ａが形成されている。複数の支持部２６ａは、左右方向に間隔を空けて並ぶように配置されるとともに、互いに同じ高さに位置している。図１６に示すように、支持部２６ａ上には、ベースボード４の前縁４ｅに設けられた枠部４５（以下、前枠部４５ａ）が配置されており、ベースボード４の前部は支持部２６ａによって支持されている。
【００５１】
また、前底部２６の後部にも上方に突出する複数の支持部２６ｂが形成されている。この支持部２６ｂも、左右方向に間隔を空けて並ぶように配置されるとともに、互いに同じ高さに位置している。支持部２６ｂ上には、ベースボード４の後縁から下がる枠部４５（以下、後枠部４５ｂ）が配置されており、フロントボード１０の後部は支持部２６ｂによって支持されている。
【００５２】
下ハウジング２０の上縁２７ａ，２４ａの、支持部２６ａ，２６ｂの上端からの高さは、前枠部４５ａ及び後枠部４５ｂの下縁から外面パネル７の表面までの距離に一致している。そのため、外面パネル７の表面と下ハウジング２０の上縁２７ａ，２４ａとが概ね同じ高さに位置している。
【００５３】
なお、図１２に示すように、前底部２６には、支持部２６ａ，２６ｂの他に、上方に突出する支持部２６ｆが形成されている。この支持部２６ｆは押しボタン３の下方に位置するとともに、当該支持部２６ｆの形状は押しボタン３に対応している。この例では、支持部２６ｆは環状に形成されている。支持部２６ｆは、押しボタン３が押されたときに、回路基板６を下方から支持する。
【００５４】
ハウジング２には、フロントボード１０を下ハウジング２０の上縁２７ａ，２４ａに押す複数の押圧部２６ｃが形成されている。この例では、押圧部２６ｃは下ハウジング２０に形成されている。詳細には、図１２、図１３、又は図１５に示すように、下ハウジング２０の前底部２６には、フロントボード１０の後において立つ壁部２６ｄが形成されている。この壁部２６ｄは、フロントボード１０に沿った方向に伸び、下ハウジング２０の上縁２７ａ，２４ａとともに、フロントボード１０が納まる枠を構成している。そして、この壁部２６ｄに、前方に突出する複数の押圧部２６ｃが形成されている。図１７に示すように、ベースボード４の後枠部４５ｂには、下方に突出する小さな板状の被押圧部４８が形成されている。被押圧部４８は、押圧部２６ｃに向き合うように配置され、当該押圧部２６ｃによって押されている。この例では、押圧部２６ｃには被押圧部４８と向き合う前面２６ｇが設けられている。前面２６ｇは被押圧部４８の下部に当たり、前面２６ｇから受ける反力によって被押圧部４８は前に押されている。すなわち、被押圧部４８に対して反力が作用するように、押圧部２６ｃと被押圧部４８の位置が設定されている。
【００５５】
また、この例では、押圧部２６ｃは、フロントボード１０を下ハウジング２０の上縁２７ａ，２４ａの隅２０ａに向けて斜めに押している。詳細には、図１３又は図１７に示すように、押圧部２６ｃと被押圧部４８は、それぞれ壁部２６ｄと後枠部４５ｂとに対して斜めに形成されている。この例では、押圧部２６ｃは、下ハウジング２０の平面視において略三角形状を呈しており、その前面２６ｇと壁部２６ｄとの距離は、下ハウジング２０の横壁部２４に近づくにしたがって小さくなっている。そして、その前面２６ｇに垂直な方向（図１３においてＤ１の示す方向）は、下ハウジング２０の上縁２７ａに対して垂直な方向（ここでは前後方向（Ｙ１−Ｙ２方向））に対して傾斜している。また、板状の被押圧部４８に垂直な方向（図１３においてＤ１の示す方向）も、下ハウジング２０の上縁２７ａに対して垂直な方向に対して傾斜している。そして、押圧部２６ｃの前面２６ｇと被押圧部４８は正対し、それらが向き合う方向は、隅２０ａ側に傾斜している。そのため、被押圧部４８が押圧部２６ｃから受ける力は、下ハウジング２０の上縁２７ａに垂直な方向に対して斜めに作用する。
【００５６】
また、フロントボード１０は下ハウジング２０に対して引っ掛かるように形成されている。詳細には、図１６又は図１７に示すように、フロントボード１０の被押圧部４８の下縁には、壁部２６ｄに向かって突出する凸部４８ａが形成されている。凸部４８ａは押圧部２６ｃの下方に位置しており、被押圧部４８は押圧部２６ｃに引っ掛かっている。また、図１３乃至図１６に示すように、下ハウジング２０の最前壁部２７の内面には複数の凸部２７ｂが形成されている。フロントボード１０の前枠部４５ａには、最前壁部２７側に突出する凸部４６が形成されている（図７参照）。この凸部４６は、最前壁部２７の凸部２７ｂの下方に位置しており、フロントボード１０は、凸部２７ｂと押圧部２６ｃとに引っ掛かっている。これによって、フロントボード１０の上方への動きが規制されている。
【００５７】
フロントボード１０は、螺子やボルトなどピン状の固定具によってハウジング本体２２と、下ハウジング２０とに固定されている。詳細には、図１７に示すように、フロントボード１０の後枠部４５ｂには後方に突出する複数の取付部４７が形成されている。この例では、フロントボード１０には、２つの取付部４７が設けられ、それらは後枠部４５ｂの端部に位置している。取付部４７には孔が形成されている。図１４に示すように、下ハウジング２０の前底部２６には、当該前底部２６を上下方向に貫通する複数の孔２６ｅが形成されている。さらに、ハウジング本体２２の右前壁部２２ｃの下縁には、複数の螺子孔２２ｅが形成されている。この例では、前底部２６と右前壁部２２ｃとには、左右方向に並ぶ３つの孔２６ｅ，２２ｅが形成されている。左側の孔２６ｅ，２２ｅと、右側の孔２６ｅ，２２ｅは、それぞれ取付部４７の位置に対応しており、これらの孔に螺子１６が下方から差し込まれている。これによってフロントボード１０とハウジング本体２２の双方が、下ハウジング２０に固定されている。
【００５８】
なお、取付部４７に形成されている孔は、螺子１６より僅かに大きくなっている。そのため、螺子１６が締め付けられる前では、取付部４７は孔２６ｅ，２２ｅに対して僅かにずれることができる。これによって、各部材の公差に起因して、取付部４７の孔や、孔２６ｅ，２２ｅが正規の位置からずれている場合であっても、外面パネル７の前縁７ｂと右縁７ｃを、下ハウジング２０の上縁２７ａ，２４ａに正確に合わせることができる。
【００５９】
また、この例では、３つの孔２６ｅ，２２ｅのうち中央の孔２６ｅ，２２ｅに対応する位置には、取付部４７は設けられていない。そのため、これらの中央の孔２６ｅ，２２ｅに差し込まれる螺子１６は、ハウジング本体２２のみを下ハウジング２０に固定している。
【００６０】
上述したように、フロントボード１０の後縁には導光部材８が設けられている。図８又は図１６に示すように、導光部材８の上面の位置は、外面パネル７の表面より高くなっており、当該導光部材８は、フロントボード１０の後縁に沿って立つ壁を構成している。ハウジング本体２２の右前壁部２２ｃは、導光部材８上に配置されている。この右前壁部２２ｃは、その下縁２２ｆが導光部材８より前に張り出すように配置されている。これによって、導光部材８の上面と、右前壁部２２ｃの下縁との間に隙間が生じる場合であっても、その隙間が目立ち難くなっている。
【００６１】
以上説明した電子機器１では、上ハウジング２１は、その前部に、下ハウジング２０と上下方向に向き合うように配置される板状のフロントボード１０を有している。フロントボード１０は、その前縁７ｂが下ハウジング２０の上縁２７ａより内側に位置するとともに当該上縁２７ａに沿うように配置されている。そして、電子機器１には、フロントボード１０を下ハウジング２０の上縁２７ａに向かって押す押圧部２６ｃが設けられている。
【００６２】
このような電子機器１によれば、フロントボード１０の前縁７ｂが下ハウジング２０の上縁２７ａの内側に配置されているので、ユーザが電子機器１を持ち上げる際に、ユーザの手がフロントボード１０の前縁７ｂに引っ掛かることを抑えることができる。また、フロントボード１０は押圧部２６ｃによって上縁２７ａ側に押されているので、フロントボード１０と下ハウジング２０との間に隙間が生じることを抑えることができる。
【００６３】
なお、本発明は、以上説明した電子機器１に限定されず、種々の変更が可能である。
【００６４】
例えば、以上の説明では、右前壁部２２ｃの前にのみフロントボード１０が設けられていた。しかしながら、左前壁部２２ｂを、右前壁部２２ｃと同様に、下ハウジング２０の最前壁部２７の上縁２７ａから後方に離れて配置し、右前壁部２２ｃの前と左前壁部２２ｂの前とにフロントボード１０を設けてもよい。
【００６５】
また、以上の説明では、フロントボード１０はハウジング本体２２と別体に構成されていた。しかしながら、フロントボード１０はハウジング本体２２と一体的に形成されてもよい。
【００６６】
また、以上の説明では、フロントボード１０は、２つの板状の部材、すなわち外面パネル７とベースボード４とを有していた。しかしながら、フロントボード１０は１つの板状の部材でもよい。
【００６７】
また、以上の説明では、フロントボード１０には、押しボタン３が設けられていた。しかしながら、フロントボード１０には、このような押しボタン３が設けられてなくてもよい。この場合、フロントボード１０の裏面には回路基板６は設けられていなくてもよい。
【００６８】
また、以上の説明では、押圧部２６ｃは、下ハウジング２０に設けられていた。しかしながら、押圧部２６ｃは、例えば、ハウジング２内に配置されるシャーシや、上ハウジング２６などに形成されてもよい。
【００６９】
また、以上の説明では、フロントボード１０の後縁に沿って立つ壁として導光部材８が設けられ、導光部材８の上に右前壁部２２ｃが配置されていた。しかしながら、導光部材８に変えて、例えば外面パネル７の後縁７ｅ上に、当該外面パネル７と一体的に形成された壁が設けられてもよい。
【符号の説明】
【００７０】
１  電子機器、２  ハウジング、３  押しボタン、３ａ  フランジ部、４  ベースボード、５  ゴム、６  回路基板、７  外面パネル、７ｂ  前縁、８  導光部材（壁）、１０  フロントボード、２０  下ハウジング、２０ａ  隅、２１  上ハウジング、２２  ハウジング本体、２４  横壁部、２４ａ  上縁、２６  前底部、２６ｃ  押圧部、２７  最前壁部、２７ａ  上縁、４１  ストッパ、４５ａ  前枠部、４５ｂ  後枠部、４８  被押圧部、６１  接点部材、６９  コネクタ。
【図１】
2010245199.tif 000003
【図２】
2010245199.tif 000004
【図３】
2010245199.tif 000005
【図４】
2010245199.tif 000006
【図５】
2010245199.tif 000007
【図６】
2010245199.tif 000008
【図７】
2010245199.tif 000009
【図８】
2010245199.tif 000010
【図９】
2010245199.tif 000011
【図１０】
2010245199.tif 000012
【図１１】
2010245199.tif 000013
【図１２】
2010245199.tif 000014
【図１３】
2010245199.tif 000015
【図１４】
2010245199.tif 000016
【図１５】
2010245199.tif 000017
【図１６】
2010245199.tif 000018
【図１７】
2010245199.tif 000019